(57)【特許請求の範囲】
【請求項１】
中間転写体上の全面に所定の温度で溶融する第１離型剤を付与する第１離型剤付与手段と、
前記第１離型剤が付与された前記中間転写体上の画像データに応じて決定されるドット形成位置と同一位置に対して、前記第１離型剤に比べて低い温度で溶融する第２離型剤を打滴する第２離型剤打滴手段と、
前記第２離型剤が打滴された前記中間転写体上のドット形成位置に対してインク液滴を打滴するインク打滴手段と、
前記中間転写体上に形成された画像を記録媒体に対して転写する転写手段と、
前記中間転写体上をクリーニングするクリーニング手段と、
前記中間転写体を加熱する加熱手段と、
前記第１離型剤のガラス転移温度をＴｇ１、前記第２離型剤のガラス転移温度をＴｇ２、転写時の温度をＴｔ、クリーニング時の温度をＴｃとするとき、次式 Ｔｃ＞Ｔｇ１＞Ｔｔ＞Ｔｇ２を満たすように前記加熱手段を制御する制御手段と、
を備えたことを特徴とするインクジェット記録装置。
【請求項２】
中間転写体上の全面に電気粘性流体である第１離型剤を付与する第１離型剤付与手段と、
前記第１離型剤が付与された前記中間転写体上の画像データに応じて決定されるドット形成位置と同一位置に対して所定の温度で溶融する第２離型剤を打滴する第２離型剤打滴手段と、
前記第２離型剤が打滴された前記中間転写体上のドット形成位置に対してインク液滴を打滴するインク打滴手段と、
前記中間転写体上に形成された画像を記録媒体に対して転写する転写手段と、
前記中間転写体上をクリーニングするクリーニング手段と、
前記中間転写体を加熱する加熱手段と、
前記中間転写体に電界を印加する電界印加手段と、
前記第２離型剤のガラス転移温度をＴｇ、転写時の温度をＴｔ、クリーニング時の温度をＴｃとするとき、次式 Ｔｔ＞Ｔｇ、且つ、 Ｔｃ＞Ｔｇ を満たすように前記加熱手段を制御する第１制御手段と、
前記第１離型剤の付与後、前記第２離型剤が打滴される前から転写が完了するまで前記中間転写体に対して電界を印加し続け、転写完了後、クリーニングが開始されるまでに前記電界の印加を解除するように前記電界印加手段を制御する第２制御手段と、
を備えたことを特徴とするインクジェット記録装置。
【請求項３】
中間転写体上の全面に所定の温度で溶融する第１離型剤を付与する第１離型剤付与手段と、
前記第１離型剤が付与された前記中間転写体上の画像データに応じて決定されるドット形成位置と同一位置に対して電気粘性流体である第２離型剤を打滴する第２離型剤打滴手段と、
前記第２離型剤が打滴された前記中間転写体上のドット形成位置に対してインク液滴を打滴するインク打滴手段と、
前記中間転写体上に形成された画像を記録媒体に対して転写する転写手段と、
前記中間転写体上をクリーニングするクリーニング手段と、
前記中間転写体を加熱する加熱手段と、
前記中間転写体に電界を印加する電界印加手段と、
前記第１離型剤のガラス転移温度をＴｇ、転写時の温度をＴｔ、クリーニング時の温度をＴｃとするとき、次式 Ｔｃ＞Ｔｇ＞Ｔｔを満たすように前記加熱手段を制御する第１制御手段と、
前記第２離型剤の打滴後、前記インク液滴が打滴される前から転写が開始されるまで前記中間転写体に対して電界を印加し続け、転写が開始される時には前記電界の印加が解除されるように前記電界印加手段を制御する第２制御手段と、
を備えたことを特徴とするインクジェット記録装置。
【請求項４】
前記第２離型剤打滴手段は、前記ドット形成位置と同一位置だけでなく、前記ドット形成位置に隣接する位置にも前記第２離型剤を打滴することを特徴とする請求項１乃至請求項３のいずれか１項に記載のインクジェット記録装置。
【請求項５】
前記第２離型剤打滴手段及び前記インク打滴手段は同一解像度をもつインクジェットヘッドでそれぞれ構成されることを特徴とする請求項１乃至請求項４のいずれか１項に記載のインクジェット記録装置。
【請求項６】
前記中間転写体に対する前記第２離型剤の接触角をθ１、前記第１離型剤によって形成される離型層に対する前記第２離型剤の接触角をθ２とするとき、次式 θ１＞θ２の関係を満足することを特徴とする請求項１乃至請求項５のいずれか１項に記載のインクジェット記録装置。
【請求項７】
前記第２離型剤は、前記インク液滴の色材を凝集させる成分、又は前記インク液滴の着弾後に該インク液滴を増粘させる成分を含有することを特徴とする請求項１乃至請求項６のいずれか１項に記載のインクジェット記録装置。
【請求項８】
前記第１離型剤及び前記第２離型剤の転写温度における貯蔵弾性率の差は１０２［Ｐａ］以上であることを特徴とする請求項１乃至請求項７のいずれか１項に記載のインクジェット記録装置。
【請求項９】
中間転写体上の全面に所定の温度で溶融する第１離型剤を付与する工程と、
前記第１離型剤が付与された前記中間転写体上の画像データに応じて決定されるドット形成位置と同一位置に対して、前記第１離型剤に比べて低い温度で溶融する第２離型剤を打滴する工程と、
前記第２離型剤が打滴された前記中間転写体上のドット形成位置に対してインク液滴を打滴する工程と、
前記中間転写体上に形成された画像を記録媒体に対して転写する工程と、
前記中間転写体上をクリーニングする工程と、
前記第１離型剤のガラス転移温度をＴｇ１、前記第２離型剤のガラス転移温度をＴｇ２、転写時の温度をＴｔ、クリーニング時の温度をＴｃとするとき、次式 Ｔｃ＞Ｔｇ１＞Ｔｔ＞Ｔｇ２を満たすように制御する工程と、
を備えたことを特徴とするインクジェット記録方法。
【請求項１０】
中間転写体上の全面に電気粘性流体である第１離型剤を付与する工程と、
前記第１離型剤が付与された前記中間転写体上の画像データに応じて決定されるドット形成位置と同一位置に対して所定の温度で溶融する第２離型剤を打滴する工程と、
前記第２離型剤が打滴された前記中間転写体上のドット形成位置に対してインク液滴を打滴する工程と、
前記中間転写体上に形成された画像を記録媒体に対して転写する工程と、
前記中間転写体上をクリーニングする工程と、
前記第２離型剤のガラス転移温度をＴｇ、転写時の温度をＴｔ、クリーニング時の温度をＴｃとするとき、次式 Ｔｔ＞Ｔｇ、且つ、 Ｔｃ＞Ｔｇを満たすように制御する工程と、
前記第１離型剤の付与後、前記第２離型剤が打滴される前から転写が完了するまで前記中間転写体に対して電界を印加し続け、転写完了後、クリーニングが開始されるまでに前記電界の印加を解除するように制御する工程と、
を含むことを特徴とするインクジェット記録方法。
【請求項１１】
中間転写体上の全面に所定の温度で溶融する第１離型剤を付与する工程と、
前記第１離型剤が付与された前記中間転写体上の画像データに応じて決定されるドット形成位置と同一位置に対して電気粘性流体である第２離型剤を打滴する工程と、
前記第２離型剤が打滴された前記中間転写体上のドット形成位置に対してインク液滴を打滴する工程と、
前記中間転写体上に形成された画像を記録媒体に対して転写する工程と、
前記中間転写体上をクリーニングする工程と、
前記第１離型剤のガラス転移温度をＴｇ、転写時の温度をＴｔ、クリーニング時の温度をＴｃとするとき、次式 Ｔｃ＞Ｔｇ＞Ｔｔを満たすように制御する工程と、
前記第２離型剤の打滴後、前記インク液滴が打滴される前から転写が開始される直前にわたって前記中間転写体に対して電界を印加し続けるとともに、転写完了後、遅くともクリーニング時には前記電界の印加を解除するように制御する工程と、
を備えたことを特徴とするインクジェット記録方法。
【発明の詳細な説明】
【技術分野】
【０００１】
本発明はインクジェット記録装置及び記録方法に係り、特に、インクジェット方式の記録ヘッドからインク液滴を吐出することによって中間転写体上に画像を形成し、中間転写体上に形成された画像を記録媒体に転写する転写方式のインクジェット記録装置及び記録方法に関する。
【背景技術】
【０００２】
一般的にインクジェット記録装置は、ランニングコストが安く、記録動作時の騒音が低く、多種多様な記録媒体に対して記録可能であり、家庭用から産業用まで幅広く利用されている。例えば、インクジェット方式の記録ヘッド（インクジェットヘッド）の各ノズルからインク滴をそれぞれ記録媒体に対して吐出する方式（直接記録方式）が知られている。
【０００３】
しかしながら、直接記録方式では、インクジェットヘッドから記録媒体に液体（インク）が直接吐出されるため、浸透性を有する記録媒体（例えば、普通紙や再生紙など）が用いられる場合にはカールやコックリングが発生したり、非浸透性を有する記録媒体（例えば、プラスチックや金属など）が用いられる場合には記録媒体上でインクの滲みや混色が発生したりして、記録媒体の種類によって十分な画像品質が得られないという問題がある。
【０００４】
このような問題を解消するために、インクジェットヘッドから中間転写体に対してインク吐出することによって中間転写体上に画像を形成し、中間転写体に形成された画像を記録媒体に転写する転写方式が提案されている。転写方式によれば、中間転写体上に画像を形成後、中間転写体上の溶媒成分（液体）を除去してから記録媒体に転写することが可能であり、記録媒体の種類に左右されることなく高品質な画像を得ることができる。
【０００５】
例えば、特許文献１には、基材上に転写層（離型層）を設けた中間転写媒体に、インクを打滴して画像を形成し、画像を転写層ごと被記録媒体（紙）へ転写するインクジェット記録装置及び記録方法が記載されている。
【０００６】
また、特許文献２には、基材上にインクと、粘着性を有する化合物を含む液（粘着性インク）を別々に打滴し、表面を加熱した後に、被記録媒体（紙）へ転写するインクジェット記録方法が記載されている。
【特許文献１】特開２００２−２４０４１１号公報
【特許文献２】特開２００３−１９２４号公報
【発明の開示】
【発明が解決しようとする課題】
【０００７】
しかしながら、特許文献１に記載された発明では、転写層を全面に設けた場合には、紙上の画像が無い領域にも転写層が転写されてしまうことにより、紙の質感（光沢、手触り感）が変化してしまう。
【０００８】
また、特許文献２に記載された発明では、粘着性インクのドットが吐出しなかった場合、若しくは、インクドットと粘着性インクドットの吐出位置が大きくずれてしまった場合には、基材上に直接インクのみがついてしまった後に加熱されることになり、紙への転写性不良が生じたり、その後のクリーニングにおいても基材からインクが取り除けないことがあったりする。
【０００９】
本発明はこのような事情に鑑みてなされたもので、記録媒体における非画像部の質感を維持しつつ、転写性を向上させ、高品質な画像を実現することのできるインクジェット記録装置及び記録方法を提供することを目的とする。
【課題を解決するための手段】
【００１０】
前記目的を達成するために、請求項１に記載の発明は、中間転写体上の全面に所定の温度で軟化する第１離型剤を付与する第１離型剤付与手段と、前記第１離型剤が付与された前記中間転写体上の画像データに応じて決定されるドット形成位置と同一位置に対して、前記第１離型剤に比べて低い温度で軟化する第２離型剤を打滴する第２離型剤打滴手段と、前記第２離型剤が打滴された前記中間転写体上のドット形成位置に対してインク液滴を打滴するインク打滴手段と、前記中間転写体上に形成された画像を記録媒体に対して転写する転写手段と、前記中間転写体上をクリーニングするクリーニング手段と、前記中間転写体を加熱する加熱手段と、前記第１離型剤のガラス転移温度をＴｇ１、前記第２離型剤のガラス転移温度をＴｇ２、転写時の温度をＴｔ、クリーニング時の温度をＴｃとするとき、次式 Ｔｃ＞Ｔｇ１＞Ｔｔ＞Ｔｇ２を満たすように前記加熱手段を制御する制御手段と、を備えたことを特徴とする。
【００１１】
本発明によれば、中間転写体上の全面に第１離型剤からなる第１離型層を形成後、画像データに応じて決定されるドット形成位置に対して第２離型剤、インク液滴を順次打滴して、更に、転写時には第２離型剤のみが流動状態となり、クリーニング時には第１離型剤も流動状態となるように制御が行われる。このため、第１離型剤が記録媒体に転写されることがなく、記録媒体における非画像部の質感を維持することができるとともに、転写性を向上させることができる。また、中間転写体上の転写後残存物を容易に除去することができ、クリーニング不良を防止することができる。これにより、高品質な画像を実現することが可能となる。
【００１２】
また、請求項２に記載の発明は、中間転写体上の全面に電気粘性流体である第１離型剤を付与する第１離型剤付与手段と、前記第１離型剤が付与された前記中間転写体上の画像データに応じて決定されるドット形成位置と同一位置に対して所定の温度で軟化する第２離型剤を打滴する第２離型剤打滴手段と、前記第２離型剤が打滴された前記中間転写体上のドット形成位置に対してインク液滴を打滴するインク打滴手段と、前記中間転写体上に形成された画像を記録媒体に対して転写する転写手段と、前記中間転写体上をクリーニングするクリーニング手段と、前記中間転写体を加熱する加熱手段と、前記中間転写体に電界を印加する電界印加手段と、前記第２離型剤のガラス転移温度をＴｇ、転写時の温度をＴｔ、クリーニング時の温度をＴｃとするとき、次式Ｔｔ＞Ｔｇ、且つ、Ｔｃ＞Ｔｇを満たすように前記加熱手段を制御する第１制御手段と、前記第１離型剤の付与後、前記第２離型剤が打滴される前から転写が完了するまで前記中間転写体に対して電界を印加し続け、転写完了後、クリーニングが開始されるまでに前記電界の印加を解除するように前記電界印加手段を制御する第２制御手段と、を備えたことを特徴とする。
【００１３】
更に、請求項３に記載の発明は、中間転写体上の全面に所定の温度で軟化する第１離型剤を付与する第１離型剤付与手段と、前記第１離型剤が付与された前記中間転写体上の画像データに応じて決定されるドット形成位置と同一位置に対して電気粘性流体である第２離型剤を打滴する第２離型剤打滴手段と、前記第２離型剤が打滴された前記中間転写体上のドット形成位置に対してインク液滴を打滴するインク打滴手段と、前記中間転写体上に形成された画像を記録媒体に対して転写する転写手段と、前記中間転写体上をクリーニングするクリーニング手段と、前記中間転写体を加熱する加熱手段と、前記中間転写体に電界を印加する電界印加手段と、前記第１離型剤のガラス転移温度をＴｇ、転写時の温度をＴｔ、クリーニング時の温度をＴｃとするとき、次式 Ｔｃ＞Ｔｇ＞Ｔｔを満たすように前記加熱手段を制御する第１制御手段と、前記第２離型剤の打滴後、前記インク液滴が打滴される前から転写が開始されるまで前記中間転写体に対して電界を印加し続け、転写が開始される時には前記電界の印加が解除されるように前記電界印加手段を制御する第２制御手段と、を備えたことを特徴とする。
【００１４】
請求項２又は請求項３に記載の発明によれば、請求項１に記載の発明と同様、第１離型剤が記録媒体に転写されることがなく、記録媒体における非画像部の質感を維持することができるとともに、転写性を向上させることができる。また、中間転写体上の転写後残存物を容易に除去することができ、転写不良を防止することができる。これにより、高品質な画像を実現することが可能となる。
【００１５】
請求項４に記載の発明は、請求項１〜３のいずれか１項に記載の発明の一実施形態に係り、前記第２離型剤打滴手段は、前記ドット形成位置と同一位置だけでなく、前記ドット形成位置に隣接する位置にも前記第２離型剤を打滴することを特徴とする。
【００１６】
請求項４に記載の発明によれば、インク液滴の着弾安定性が向上し、画像品質が更に向上する。
【００１７】
請求項５に記載の発明は、請求項１〜４のいずれか１項に記載の発明の一実施形態に係り、前記第２離型剤打滴手段及び前記インク打滴手段は同一解像度をもつインクジェットヘッドでそれぞれ構成されることを特徴とする。
【００１８】
請求項５に記載の発明によれば、画像データに応じて決定されるドット形成位置に対応して第２離型剤及びインク液滴を正確に打滴することができ、転写性が向上する。
【００１９】
請求項６に記載の発明は、請求項１〜５のいずれか１項に記載の発明の一実施形態に係り、前記中間転写体に対する前記第２離型剤の接触角をθ１、前記第１離型剤によって形成される離型層に対する前記第２離型剤の接触角をθ２とするとき、次式 θ１＞θ２の関係を満足することを特徴とする。
【００２０】
請求項６に記載の発明によれば、中間転写体の表面エネルギーが低い場合でも、第１離型剤によって形成される離型層上に第２離型剤を安定的に付与することが可能であり、中間転写体の材料選択の幅が広がる。
【００２１】
請求項７に記載の発明は、請求項１〜６のいずれか１項に記載の発明の一実施形態に係り、前記第２離型剤は、前記インク液滴の色材を凝集させる成分、又は前記インク液滴の着弾後に該インク液滴を増粘させる成分を含有することを特徴とする。
【００２２】
請求項７に記載の発明によれば、画像データに応じて決定されるドット形成位置に対して打滴されたインク液滴は中間転写体上で第２離型剤と反応して色材が凝集する。よって、隣接するドット形成位置に対して打滴されるインク液滴同士の着弾干渉が防止される。
【００２３】
請求項８に記載の発明は、請求項１〜７のいずれか１項に記載の発明の一実施形態に係り、前記第１離型剤及び前記第２離型剤の転写温度における貯蔵弾性率の差は１０２［Ｐａ］以上であることを特徴とする。
【００２４】
また、前記目的を達成するために、請求項９〜１１に記載の発明は方法発明を提供する。
【００２５】
即ち、請求項９に記載の発明は、中間転写体上の全面に所定の温度で軟化する第１離型剤を付与する工程と、前記第１離型剤が付与された前記中間転写体上の画像データに応じて決定されるドット形成位置と同一位置に対して、前記第１離型剤に比べて低い温度で軟化する第２離型剤を打滴する工程と、前記第２離型剤が打滴された前記中間転写体上のドット形成位置に対してインク液滴を打滴する工程と、前記中間転写体上に形成された画像を記録媒体に対して転写する工程と、前記中間転写体上をクリーニングする工程と、前記第１離型剤のガラス転移温度をＴｇ１、前記第２離型剤のガラス転移温度をＴｇ２、転写時の温度をＴｔ、クリーニング時の温度をＴｃとするとき、次式 Ｔｃ＞Ｔｇ１＞Ｔｔ＞Ｔｇ２を満たすように制御する工程と、を備えたことを特徴とする。
【００２６】
また、請求項１０に記載の発明は、中間転写体上の全面に電気粘性流体である第１離型剤を付与する工程と、前記第１離型剤が付与された前記中間転写体上の画像データに応じて決定されるドット形成位置と同一位置に対して所定の温度で軟化する第２離型剤を打滴する工程と、前記第２離型剤が打滴された前記中間転写体上のドット形成位置に対してインク液滴を打滴する工程と、前記中間転写体上に形成された画像を記録媒体に対して転写する工程と、前記中間転写体上をクリーニングする工程と、前記第２離型剤のガラス転移温度をＴｇ、転写時の温度をＴｔ、クリーニング時の温度をＴｃとするとき、次式 Ｔｔ＞Ｔｇ、且つ、 Ｔｃ＞Ｔｇを満たすように制御する工程と、前記第１離型剤の付与後、前記第２離型剤が打滴される前から転写が完了するまで前記中間転写体に対して電界を印加し続け、転写完了後、クリーニングが開始されるまでに前記電界の印加を解除するように制御する工程と、を含むことを特徴とする。
【００２７】
また、請求項１１に記載の発明は、中間転写体上の全面に所定の温度で軟化する第１離型剤を付与する工程と、前記第１離型剤が付与された前記中間転写体上の画像データに応じて決定されるドット形成位置と同一位置に対して電気粘性流体である第２離型剤を打滴する工程と、前記第２離型剤が打滴された前記中間転写体上のドット形成位置に対してインク液滴を打滴する工程と、前記中間転写体上に形成された画像を記録媒体に対して転写する工程と、前記中間転写体上をクリーニングする工程と、前記第１離型剤のガラス転移温度をＴｇ、転写時の温度をＴｔ、クリーニング時の温度をＴｃとするとき、次式 Ｔｃ＞Ｔｇ＞Ｔｔを満たすように制御する工程と、前記第２離型剤の打滴後、前記インク液滴が打滴される前から転写が開始される直前にわたって前記中間転写体に対して電界を印加し続けるとともに、転写完了後、遅くともクリーニング時には前記電界の印加を解除するように制御する工程と、を備えたことを特徴とする。
【発明の効果】
【００２８】
本発明によれば、第１離型剤が記録媒体に転写されることがなく、記録媒体における非画像部の質感を維持することができるとともに、転写性を向上させることができる。また、中間転写体上の転写後残存物を容易に除去することができ、クリーニング不良を防止することができる。これにより、高品質な画像を実現することが可能となる。
【発明を実施するための最良の形態】
【００２９】
以下、添付図面に従って本発明の好ましい実施の形態について詳説する。
【００３０】
まず、本発明に係るインクジェット記録方法について説明し、次いで、そのインクジェット記録方法が適用された、本発明に係るインクジェット記録装置の構成例（第１〜第３の実施形態）について説明する。
【００３１】
〔インクジェット記録方法〕
図１及び図２は、本発明に係るインクジェット記録方法の概要を示した説明図である。
【００３２】
本発明に係るインクジェット記録方法は、図１に示すように、まず、中間転写体１０上に第１離型剤αを全面塗布することにより、中間転写体１０の表面全体に第１離型層１２を形成する（図１（ａ））。次に、画像データ（記録画像）に応じて決定されるドット形成位置（インク液滴が打滴される位置）に対応して、インクジェットヘッド（不図示）の各ノズルから第２離型剤βを打滴することにより、第１離型層１２上に第２離型層１４を形成する（図１（ｂ））。更に、画像データに応じて決定されるドット形成位置に対して、インクジェットヘッド（不図示）の各ノズルからインク液滴を打滴することにより、第２離型層１４上にインクドット１６を形成する（図１（ｃ））。
【００３３】
このように中間転写体１０上に第１離型層１２及び第２離型層１４を介してインクドット１６からなるインク画像を形成した後、中間転写体１０上に形成されたインク画像を記録媒体１８に対して転写する（図１（ｄ））。更に、その後、中間転写体１０上の転写残存物をクリーナー２０（後述するクリーニングローラ３８Ａ（図４参照）に相当）に付着させて除去する（図１（ｅ））。以後、上記の各工程が順次繰り返される。
【００３４】
本発明で用いられる第１離型剤α、第２離型剤β、及びインクの一例を表１に示す。
【００３５】
【表１】
0004878585.tif 000002
【００３６】
「第１離型剤α」及び「第２離型剤β」については、例えば、電子写真における現像と同様の方法で樹脂そのものを中間転写体１０に付与しても良いし、又は、樹脂を溶媒に溶解若しくは分散させた液体を塗布しても良い。即ち、本発明における「第１離型剤α」及び「第２離型剤β」は、固体状態のものに限定されず、液体状態のものも含む広い概念で用いられる。
【００３７】
また、第１離型層１２及び第２離型層１４に関しては、各離型剤α、βが液体状態である場合には、溶媒を蒸発させた後に残った残存物（例えば、樹脂を溶媒に溶解若しくは分散させた場合では樹脂）のことを主として示すが、各離型剤α、βを塗布した時に溶媒量が少ない場合には、必ずしも蒸発工程を経ずとも離型層として取り扱ってよい。また、後述する電気粘性流体の場合には、流体自身の粘弾性が電界によって変化するため、流体そのもの（即ち、溶媒と分散物の混合物）を「離型層」として定義する。
【００３８】
本発明においては、第１離型剤αのガラス転移温度をＴｇ１、第２離型剤βのガラス転移温度をＴｇ２、転写温度をＴｔ、クリーニング温度をＴｃとするとき、次式 Ｔｃ＞Ｔｇ１＞Ｔｔ＞Ｔｇ２ の関係を満たすように、転写温度（Ｔｔ）やクリーニング温度（Ｔｃ）の制御が行われる。このため、転写時においては、第１離型剤αが流動状態になることなく、第２離型剤βのみが流動状態となり、図１（ｄ）に示すように、第２離型剤βからなる第２離型層１４の一部（又は全部）が分離され（以下、このような現象を「泣き別れ」ともいう。）、分離された第２離型層１４の一部（又は全部）が記録媒体１８に転写される。これにより、第１離型剤αからなる第１離型層１２が記録媒体１８に転写されることがなく、記録媒体１８における非画像部の質感を維持することができ、転写性も向上する。例えば、紙の質感を保ったまま画像を転写することができる。
【００３９】
本発明における「転写温度」や「クリーニング温度」とは、それぞれの工程（転写工程、クリーニング工程）における離型層自身の温度のことである。実質的には、離型層に物質が接触する場合には、離型層の温度は接触する物質の温度にほぼ等しくなるため、転写温度とは転写時における記録媒体１８の温度、クリーニング温度とはクリーニング時におけるクリーナー２０（クリーニングローラ３８Ａ）の温度とみなしてよい。
【００４０】
また、クリーニング時においては、第２離型剤βだけでなく第１離型剤αも流動状態となり、図１（ｅ）に示すように、第２離型剤βからなる第２離型層１４とともに、第１離型剤αからなる第１離型層１２がクリーナー２０に付着するので、中間転写体上の転写後残存物（各離型剤α、β、インク、塵埃など）を容易に除去することができ、クリーニング不良を防止することができる。これにより、高品質な画像を実現することが可能となる。
【００４１】
なお、中間転写体１０上に第１離型剤αからなる第１離型層１２の一部が残存することがあるが（図１（ｅ））、中間転写体１０上には第１離型剤αが再び付与されるため、次工程での転写性に影響を与えることはない。
【００４２】
本発明によれば、例えば、図２に示すように、中間転写体１０の表面全体に第１離型層１２を形成後（図２（ａ））、画像データに応じて決定されるドット形成位置に対応して第２離型剤βを打滴する際、インクジェットヘッドに不吐ノズルが存在し、一部のドット形成位置に対して第２離型剤βが打滴されなかった場合でも（図２（ｂ））、その後に打滴されるインク液滴は、中間転写体１０ではなく第１離型層１２上に着弾するので（図２（ｃ））、中間転写体１０の表面がインクに含有される色材で汚されることがなく、転写不良を防止することができる。また、第１離型層１２上に着弾したインク液滴によって形成されるインクドット１６Ａは記録媒体１８に転写されなかった場合においても（図２（ｄ））、クリーニング時にクリーナー２０にインクドット１６Ａを付着させて除去することが可能である（図２（ｅ））。
【００４３】
また、中間転写体１０の表面全体に第１離型剤αからなる第１離型層１２を形成してから、第１離型層１２上に第２離型剤βを打滴するようにしているため、中間転写体１０の表面エネルギーが低い場合でも第２離型剤βを安定的に着弾させることが可能となる。即ち、中間転写体１０に対する第２離型剤βの接触角をθ１、第１離型剤αに対する第２離型剤βの接触角をθ２とするとき、次式 θ１＞θ２という関係を満たすことにより、中間転写体１０上に直接付与する場合に比べて第２離型剤βを安定的に付与することが可能となる。これにより、中間転写体１０の材料選択の幅が広がり、中間転写体１０として、例えば、２５［ｍＮ／ｍ］以下の低表面自由エネルギーをもつものを適用することが可能となる。これにより、中間転写体１０として、シリコンゴムのような低表面自由エネルギーの部材を使用可能となり、良好な転写特性を得ることができる。
【００４４】
また、本発明によれば、中間転写体１０に表面に傷などがついた場合においても、中間転写体１０の表面全体に第１離型剤αからなる第１離型層１２を形成することによって、傷部分を覆い隠すことができるので、傷などによる転写不良を防止することができる。
【００４５】
本発明において、中間転写体１０上に打滴されたインク液滴によって形成される画像部（ドット打滴部）の外側周辺に位置する輪郭部にも第２離型剤βを打滴する態様が好ましい。具体的には、画像データに応じて決定されるドット形成位置と同一位置だけでなく、少なくともドット形成位置に隣接する位置に第２離型剤βを打滴するようにする。
【００４６】
例えば、図３（ａ）に示すように、１２個のインク液滴（インクドット）２２からなる画像部２４が形成される場合には、図３（ｂ）に示すように、画像部２４だけでなく、その外側周辺に位置する輪郭部２６にも第２離型剤βを打滴するようにすればよい。
【００４７】
なお、図示の例では、各インク液滴２２が打滴されるドット形成位置に対して縦横の４方向に隣接する位置に第２離型剤βを打滴しているが、図３（ｃ）に示すように、斜め方向を含む８方向に隣接する位置にも第２離型剤βを打滴するようにしてもよい。また、図３（ｄ）に示すように、各インク液滴２２が打滴されるドット形成位置の４方向（縦方向及び横方向）にそれぞれ複数の第２離型剤βが存在するように打滴してもよい。
【００４８】
このように画像部の外側周辺に位置する輪郭部にも第２離型剤βを打滴することにより、インク液滴の着弾安定性が向上する。特に、エッジ品質に優れた画像を得ることができる。
【００４９】
また、上述した画像部の輪郭部にも第２離型剤βを打滴する態様に代えて、ドット形成位置（インク液滴が打滴される位置）と同一位置に対して、インク液滴に比べて第２離型剤βの液滴量（液滴体積）を多くする態様も可能であり、同様な効果を得ることができる。
【００５０】
また、本発明においては、後述するように、第１離型剤α及び第２離型剤βのうち、一方の離型剤を所定の温度で軟化する材料（例えば、樹脂など）とし、他方の離型剤を印加される電界に応じて粘度変化する電気粘性流体（ＥＲ流体）とする態様がある。
【００５１】
また、本発明においては、回転型動的粘弾性測定装置によって測定された第１離型剤α及び第２離型剤βの転写温度における貯蔵弾性率の差が１０２［Ｐａ］以上離れていることが好ましく、第２離型剤βの貯蔵弾性率の値（Ｇβ’）が２×１０２［Ｐａ］未満であることが更に好ましい。
【００５２】
〔インクジェット記録装置〕
次に、本発明に係るインクジェット記録装置の構成例（第１〜第３の実施形態）について説明する。
【００５３】
（第１の実施形態）
図４は、第１の実施形態に係るインクジェット記録装置の概略を示した構成図である。図４に示すように、本実施形態のインクジェット記録装置１００は、中間転写体１０の搬送方向（図４中、矢印Ａで示す方向；以下、「中間転写体搬送方向」という。）に関して上流側から順に、第１離型剤αを付与する第１離型剤付与部３０と、第２離型剤βを打滴する第２離型剤打滴部３２と、インク液滴を打滴するインク打滴部３４と、中間転写体１０上に形成されたインク画像を記録媒体１８に対して転写を行う転写部３６と、中間転写体１０上をクリーニングするクリーニング部３８とから主に構成される。
【００５４】
本実施形態のインクジェット記録装置１００では、所定の温度で軟化する第１離型剤αと、第１離型剤αに比べてガラス転移温度の低い第２離型剤βとが用いられ、第１離型剤αのガラス転移温度をＴｇ１、第２離型剤βのガラス転移温度をＴｇ２、転写温度をＴｔ、クリーニング温度をＴｃとするとき、次式 Ｔｃ＞Ｔｇ１＞Ｔｔ＞Ｔｇ２ を満たすように転写温度（Ｔｔ）やクリーニング温度（Ｔｃ）の制御が行われる。なお、本制御は、後述するシステムコントローラ（図４中不図示、図９に符号７２で図示）を中心として行われる。
【００５５】
図４に示す中間転写体１０には無端状ベルトが適用され、中間転写体（無端状ベルト）１０は複数のローラ（図４には２つの張架ローラ４０Ａ、４０Ｂ、及び転写加熱用の加熱対向ローラ３６Ｂを図示）に巻きかけられた構造を有し、これらローラの少なくとも１つにモータ（図４中不図示、図９に符号８８で図示）の動力が伝達されることにより、中間転写体１０は、図４において反時計回り方向（図１中、矢印Ａで示す方向；中間転写体搬送方向）に駆動される。
【００５６】
中間転写体（無端状ベルト）１０は、第２離型剤打滴部３２及びインク打滴部３４と対向する表面（画像形成面）１０Ａの少なくともインク画像（１次画像）が形成される画像形成領域（不図示）には、樹脂、金属やゴムなどのインク液滴が浸透しない非浸透性を有している。また、中間転写体１０の少なくとも画像形成領域は、所定の平坦性を有する水平面（フラット面）をなすように構成されている。
【００５７】
中間転写体１０の画像形成面１０Ａを含む表面層に用いられる好ましい材料としては、例えば、ポリイミド系樹脂、シリコン系樹脂、ポリウレタン系樹脂、ポリエステル系樹脂、ポリスチレン系樹脂、ポリオレフィン系樹脂、ポリブタジエン系樹脂、ポリアミド系樹脂、ポリ塩化ビニル系樹脂、ポリエチレン系樹脂、フッ素系樹脂等の公知の材料が挙げられる。
【００５８】
中間転写体搬送方向の最上流側に配置される第１離型剤付与部３０は、塗布ローラ３０Ａ、及び第１離型剤αが収容される塗布液容器（不図示）を含んで構成される。塗布ローラ３０Ａは中間転写体１０に対して従動して回転するか、独立して塗布ローラ３０Ａが駆動し回転制御可能となっており、塗布ローラ３０Ａの回転に応じて、塗布液容器内に収容される第１離型剤αが中間転写体１０の画像形成面１０Ａに全面塗布される。
【００５９】
塗布ローラ３０Ａには、多孔質材料や表面に凹凸がある材料が望ましく、例えば、グラビアロール状のもの等を用いることができる。本例では、第１離型剤αを中間転写体１０に付与する手段として、ローラ形状を有する塗布部材を例示したが、第１離型剤αを中間転写体１０に付与する手段はローラ形状に限定されず、ブレードにより塗布する方式やスプレー、インクジェットヘッドを用いることができる。
【００６０】
本発明において、第１離型剤αは中間転写体１０の画像形成面１０Ａ全体に付与する必要があるため、本例のように塗布によって付与する態様が好ましい。また、第１離型剤αを直接塗布してもよいし、第１離型剤αを溶媒に分散若しくは溶解させた液体を中間転写体１０上に塗布し、その後に第１離型剤αを含む液体を乾燥させることにより溶媒を蒸発させ、中間転写体１０上に第１離型層１２（図１参照）を形成するようにしてもよい。
【００６１】
中間転写体搬送方向に関して第１離型剤付与部３０より下流側に配置される第２離型剤打滴部３２は、インクジェットヘッド（以下、単に「ヘッド」という。）３２Ａを含んで構成され、ヘッド３２Ａから中間転写体１０の画像形成面１０Ａに対して第２離型剤βが打滴される。第２離型剤βは、画像データ（記録画像）に応じて決定されるドット形成位置（インク液滴が打滴される位置）に対応して打滴される。
【００６２】
本発明において、上述したように画像部の外側周辺に位置する輪郭部にも第２離型剤βを打滴する態様、即ち、画像データに応じて決定されるドット形成位置と同一位置だけでなく、ドット形成位置に隣接する位置にも第２離型剤βを打滴する態様が好ましい（図３（ａ）、（ｂ）参照）。
【００６３】
また、第２離型剤βにインク中の色材を凝集させる成分、又はインク液滴の着弾後に該インク液滴を増粘させる成分（処理剤）を含有させる態様も好ましい。中間転写体１０上で第２離型剤βとインク液滴が反応して色材凝集体が形成されるので、隣接するドット形成位置に打滴されたインク液滴同士の着弾干渉を防止することができる。
【００６４】
ここで、インクとしては、液体の溶媒に色材が分子の状態（イオンの状態であってもよい）で溶解している染料インク、液体の溶媒に色材が微小な塊の状態で分散している顔料インク等が挙げられる。言い換えると、インクに含有される色材は、分子の状態（イオンの状態であってもよい）で液体の溶媒に溶解する物質や、微小な塊となった状態で液体の溶媒に分散する物質が挙げられる。
【００６５】
一方、処理剤とは「インクと反応してインク中の色材を析出あるいは不溶化させる成分」、「インク中の色材を含む半固体状の物質（ゲル）を生成する成分」等が挙げられる。インクと反応するときの処理剤の状態としては、固体もしくは半固形状態であることが好ましい。
【００６６】
このような反応を引き起こす手段としては、インク中のアニオン性の色材を処理剤中のカチオン性の化合物を反応させる方法、互いにｐＨの異なるインクと処理剤とを混合させることでインクのｐＨを変化させ、インク中の顔料の分散破壊を起こし、顔料を凝集させる方法、処理剤中の多価金属塩との反応によりインク中の顔料の分散破壊を起こし、顔料を凝集させる方法などがある。
【００６７】
中間転写体搬送方向に関して第２離型剤打滴部３２より下流側に配置されるインク打滴部３４は、中間転写体搬送方向に沿って上流側から、シアン（Ｃ）、マゼンダ（Ｍ）、イエロー（Ｙ）、黒（Ｋ）の各色インクに対応したインクジェットヘッド（以下、単に「ヘッド」という。）３４Ｃ、３４Ｍ、３４Ｙ、３４Ｋが順に設けられる。各ヘッド３４Ｃ、３４Ｍ、３４Ｙ、３４Ｋから中間転写体１０の画像形成面１０Ａに対してそれぞれ対応する各色のインク液滴が打滴される。
【００６８】
図５に示すように、第２離型剤打滴部３２のヘッド３２Ａ、及びインク打滴部３４の各ヘッド３４Ｃ、３４Ｍ、３４Ｙ、３４Ｋは、それぞれ中間転写体１０における画像形成領域の最大幅に対応する長さを有し、そのインク吐出面には画像形成領域の全幅にわたってインク吐出用のノズル（図５中不図示、図６に符号５１で図示）が複数配列されたフルライン型のヘッドで構成されており、それぞれ中間転写体搬送方向と直交する方向に延在するように固定設置される。
【００６９】
本例では、第２離型剤打滴部３２のヘッド３２Ａは、インク打滴部３４のヘッド３４Ｃ、３４Ｍ、３４Ｙ、３４Ｋと同一構造が適用される。なお、第２離型剤打滴部３２のヘッド３２Ａは、画像データに応じて決定されるドット形成位置に対して第２離型剤βを打滴可能なものであればよく、例えば、インク打滴部３４のヘッド３４Ｃ、３４Ｍ、３４Ｙ、３４Ｋよりも打滴密度（解像度）を落とした構造のヘッドを適用してもよい。
【００７０】
中間転写体１０の幅の全域をカバーするノズル列を有するフルライン型のヘッドを吐出液別に設ける構成によれば、中間転写体搬送方向（副走査方向）について、中間転写体１０と第２離型剤打滴部３２及びインク打滴部３４を相対的に移動させる動作を１回行うだけで（即ち１回の副走査で）、中間転写体１０の画像形成領域にインク画像（１次画像）を記録することができる。これにより、中間転写体搬送方向と直交する方向（主走査方向；図５参照）に往復動作するシリアル（シャトル）型ヘッドが適用される場合に比べて高速印字が可能であり、プリント生産性を向上させることができる。
【００７１】
本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクヘッドを追加する構成も可能であり、各色ヘッドの配置順序も特に限定はない。
【００７２】
液体貯蔵／装填部（不図示）は、各ヘッド３２Ａ、３４Ｃ、３４Ｍ、３４Ｙ、３４Ｋにそれぞれ供給する液体（第２離型剤β又は各色インク）を各々貯蔵する液体タンク（図４中不図示、図８に符号６０で図示）を含んで構成され、各タンクは所要の流路を介してそれぞれ対応するヘッドと連通されており、各ヘッドに対してそれぞれ対応する液体を供給する。また、液体貯蔵／装填部は、タンク内の液体残量が少なくなるとその旨を報知する報知手段（表示手段、警告音発生手段）を備えるとともに、液体間の誤装填を防止するための機構を有している。
【００７３】
中間転写体搬送方向に関してインク打滴部３４より下流側であって転写部３６より上流側には、加熱乾燥部４２が設けられる。加熱乾燥部４２は、中間転写体１０の画像形成面１０Ａの裏面１０Ｂ側に設けられたヒータ（図４中不図示、図９に符号８９で図示）を含んで構成され、インク画像（１次画像）が形成された中間転写体１０を裏面１０Ｂ側からヒータによって加熱する。
【００７４】
加熱乾燥部４２に配置されるヒータの加熱温度範囲は、転写時の加熱温度（転写温度）よりも低く設定される。中間転写体１０の画像形成領域を予備加熱することで、予備加熱を行わない場合に比べて転写部３６の加熱温度を低く設定することが可能となり、更に、転写部３６の転写時間を少なくすることができる。
【００７５】
加熱乾燥部４２は、中間転写体１０上に形成されたインク画像に含まれる溶媒を乾燥させる溶媒除去部を兼ねている。加熱乾燥部４２の構成としては、中間転写体１０の裏面１０Ｂ側にヒータを具備し、中間転写体１０の表面（画像形成面）１０Ａ側から乾燥した熱風を中間転写体１０に対して当てる方式が最も簡便であり好ましい。もちろん、加熱乾燥部４２に代えて、又は加熱乾燥部４２に併設して、例えば、表面が多孔質体で構成されたローラ状の溶媒吸収部材（溶媒除去ローラ）を中間転写体１０の画像形成面１０Ａに接触させて、溶媒を吸収除去する態様もある。また、溶媒除去ローラに代えて、エアナイフで余剰な溶媒を中間転写体１０から取り除く方式などを適用することも可能である。
【００７６】
記録媒体１８を転写部３６へ供給する給紙部（不図示）の構成としては、ロール紙（連続用紙）のマガジンを備える態様、或いは、ロール紙のマガジンに代えて、又はこれと併用して、カット紙が積層装填されたカセットによって用紙を供給する態様がある。ロール紙を使用する装置構成の場合、裁断用のカッターが設けられており、該カッターによってロール紙は所望のサイズにカットされる。紙幅や紙質等が異なる複数のマガジンやカセットを併設してもよい。
【００７７】
複数種類の記録媒体を利用可能な構成にした場合、メディアの種類情報を記録したバーコード或いは無線タグなどの情報記録体をマガジンに取り付け、その情報記録体の情報を所定の読取装置によって読み取ることで、使用される記録媒体の種類（メディア種）を自動的に判別し、メディア種に応じて適切なインク吐出を実現するようにインク吐出制御を行うことが好ましい。
【００７８】
本例に適用される記録媒体１８の具体例を挙げると、普通紙、インクジェット専用紙などの浸透性媒体、コート紙などの非浸透性又は低浸透性の媒体、裏面に粘着剤と剥離ラベルの付いたシール用紙、ＯＨＰシートなどの樹脂フィルム、金属シート、布、木など様々な媒体がある。
【００７９】
加熱乾燥部４２の中間転写体搬送方向下流側に配置される転写部３６は、ヒータ（図４中不図示、図９に複数のヒータを代表して符号８９で図示）を有した転写加熱ローラ３６Ａと、これに対向して配置される加熱加圧ニップ用の加熱対向ローラ３６Ｂとを含んで構成され、これらローラ３６Ａ、３６Ｂ間に中間転写体１０と記録媒体１８とを挟み込み、所定の温度に加熱しながら、所定の圧力（ニップ圧）で加圧することにより、中間転写体１０上に形成されたインク画像（１次画像）が記録媒体１８に転写される構成となっている。
【００８０】
転写部３６による転写時の加熱温度（転写温度）は、第１離型剤α及び第２離型剤βのガラス転移温度に応じて決定される。具体的には、転写温度（Ｔｔ）が第１離型剤αのガラス転移温度（Ｔｇ１）より低く、且つ、第２離型剤βのガラス転移温度（Ｔｇ２）より高くなるように（即ち、Ｔｇ１＞Ｔｔ＞Ｔｇ２）、後述するシステムコントローラ（図４中不図示、図９に符合７２で図示）によって転写部３６に配置されるヒータの制御が行われる。
【００８１】
転写部３６における転写時のニップ圧を調整するための手段としては、例えば、転写加熱ローラ３６Ａを図４の上下方向（符号Ｃで図示）に移動させる機構（駆動手段）が挙げられる。
【００８２】
転写部３６の記録媒体搬送方向（図４中、矢印Ｂで示す方向）下流側には、定着部（不図示）が配置されることが好ましい。例えば、定着部には、１００℃〜１８０℃の範囲で温度調整可能な加熱ローラ対を含んで構成され、転写部３６にてインク画像が転写された記録媒体１８を加熱ローラ対の間を通過させることにより、記録媒体１８に対するインク画像の定着性や耐擦過性を向上させることができる。
【００８３】
中間転写体搬送方向に関して転写部３６より下流側に配置されるクリーニング部３８は、中間転写体１０上をクリーニングする手段として、中間転写体１０の画像形成面１０Ａに当接しながら転写後残存物を表面に付着させて除去するクリーニングローラ３８Ａを含んで構成される。
【００８４】
なお、中間転写体１０から転写後残存物を除去するクリーニング手段の構成は、上記の例に限らず、ブレードを用いて転写後残存物を払拭除去する方式、ブラシ・ロール、吸水ロール等をニップする方式、清浄エアーを吹き掛けるエアーブロー方式、粘着ロール方式或いはこれらの組み合わせなどがある。清掃用ロールをニップする方式の場合、ベルト線速度とローラ線速度を変えると清掃効果が大きい。
【００８５】
本実施形態のインクジェット記録装置１００には、中間転写体１０を挟んでクリーニング部３８のクリーニングローラ３８Ａに対向する位置に加熱部４４が設けられる。加熱部４４は、上述した加熱乾燥部４２と同様な構成が適用され、中間転写体１０の画像形成面１０Ａの裏面１０Ｂ側に設けられたヒータ（図４中不図示、図９に符号８９で図示）を含んで構成される。
【００８６】
クリーニング部３８において中間転写体１０の画像形成面１０Ａをクリーニングする際、中間転写体１０を裏面１０Ｂ側から加熱部４４のヒータによって所定温度に加熱しながら、中間転写体１０上のクリーニングが行われ、中間転写体１０上から転写後残存物が除去される構成となっている。
【００８７】
クリーニング部３８に対応して設けられる加熱部４４の加熱温度（クリーニング温度）は、転写温度と同様に、第１離型剤α及び第２離型剤βのガラス転移温度に応じて決定される。具体的には、クリーニング温度（Ｔｃ）が第１離型剤αのガラス転移温度（Ｔｇ１）及び第２離型剤βのガラス転移温度（Ｔｇ２）より高くなるように（即ち、Ｔｃ＞Ｔｇ１＞Ｔｔ＞Ｔｇ２）、後述するシステムコントローラ（図４中不図示、図９に符合７２で図示）によって加熱部４４に配置されるヒータの制御が行われる。
【００８８】
次に、第２離型剤打滴部３２に配置されるヘッド３２Ａ、及びインク打滴部３４に配置されるヘッド３４Ｃ、３４Ｍ、３４Ｙ、３４Ｋの構造について詳説する。なお、各ヘッド３２Ａ、３４Ｃ、３４Ｍ、３４Ｙ、３４Ｋの構造は共通しているので、以下、これらを代表して符号５０によってヘッドを示す。また、説明の便宜上、ヘッドから吐出される液体がインクである場合について説明するが、第２離型剤打滴部３２に配置されるヘッド３２Ａの場合には「インク」を「第２離型剤β」と読み替えればよい。
【００８９】
図６（ａ）はヘッド５０の構造例を示す平面透視図であり、図６（ｂ）はその一部の拡大図である。また、図６（ｃ）はヘッド５０の他の構造例を示す平面透視図、図７はインク室ユニットの立体的構成を示す断面図（図６（ａ）、（ｂ）中の７−７線に沿う断面図）である。
【００９０】
中間転写体１０上に形成されるドットピッチを高密度化するためには、ヘッド５０におけるノズルピッチを高密度化する必要がある。本例のヘッド５０は、図６（ａ）、（ｂ）に示すように、インク滴の吐出孔であるノズル５１と、各ノズル５１に対応する圧力室５２等からなる複数のインク室ユニット５３を千鳥でマトリクス状に（２次元的に）配置させた構造を有し、これにより、ヘッド長手方向（中間転写体搬送方向と直交する主走査方向）に沿って並ぶように投影される実質的なノズル間隔（投影ノズルピッチ）の高密度化を達成している。
【００９１】
中間転写体１０の搬送方向と略直交する方向に中間転写体１０の全幅に対応する長さにわたり１列以上のノズル列を構成する形態は本例に限定されない。例えば、図６（ａ）の構成に代えて、図６（ｃ）に示すように、複数のノズル５１が２次元に配列された短尺のヘッドブロック５０’を千鳥状に配列して繋ぎ合わせることで中間転写体１０の全幅に対応する長さのノズル列を有するラインヘッドを構成してもよい。また、図示は省略するが、短尺のヘッドを一列に並べてラインヘッドを構成してもよい。
【００９２】
各ノズル５１に対応して設けられている圧力室５２は、その平面形状が概略正方形となっており、対角線上の両隅部にノズル５１と供給口５４が設けられている。各圧力室５２は供給口５４を介して共通流路５５と連通されている。共通流路５５はインク供給源たるインク供給タンク（図７中不図示、図８に符号６０で図示）と連通しており、該インク供給タンクから供給されるインクは図７の共通流路５５を介して各圧力室５２に分配供給される。
【００９３】
圧力室５２の天面を構成し共通電極と兼用される振動板５６には個別電極５７を備えた圧電素子５８が接合されており、個別電極５７に駆動電圧を印加することによって圧電素子５８が変形してノズル５１からインクが吐出される。インクが吐出されると、共通流路５５から供給口５４を通って新しいインクが圧力室５２に供給される。
【００９４】
本例では、ヘッド５０に設けられたノズル５１から吐出させるインクの吐出力発生手段として圧電素子５８を適用したが、圧力室５２内にヒータを備え、ヒータの加熱による膜沸騰の圧力を利用してインクを吐出させるサーマル方式を適用することも可能である。
【００９５】
かかる構造を有するインク室ユニット５３を図６（ｂ）に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【００９６】
即ち、主走査方向に対してある角度θの方向に沿ってインク室ユニット５３を一定のピッチｄで複数配列する構造により、主走査方向に並ぶように投影されたノズルのピッチＰはｄ× cosθとなり、主走査方向については、各ノズル５１が一定のピッチＰで直線状に配列されたものと等価的に取り扱うことができる。このような構成により、主走査方向に並ぶように投影されるノズル列が１インチ当たり2400個（2400ノズル／インチ）におよぶ高密度のノズル構成を実現することが可能になる。
【００９７】
なお、本発明の実施に際してノズルの配置構造は図示の例に限定されず、副走査方向に１列のノズル列を有する配置構造など、様々なノズル配置構造を適用できる。
【００９８】
また、本発明の適用範囲はライン型ヘッドによる印字方式に限定されず、中間転写体１０の幅方向（主走査方向）の長さに満たない短尺のヘッドを中間転写体１０の幅方向に走査させて当該幅方向の印字を行い、１回の幅方向の印字が終わると中間転写体１０を幅方向と直交する方向（副走査方向）に所定量だけ移動させて、次の印字領域の中間転写体１０の幅方向の印字を行い、この動作を繰り返して中間転写体１０の印字領域の全面にわたって印字を行うシリアル方式を適用してもよい。
【００９９】
図８は、インクジェット記録装置１００におけるインク供給系の構成を示した概要図である。なお、処理液供給系についてもインク供給系と同様の構成が適用される。
【０１００】
インク供給タンク６０はヘッド５０にインクを供給する基タンクであり、上述した液体貯蔵／装填部（不図示）に含まれる。インク供給タンク６０の形態には、インク残量が少なくなった場合に不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。
【０１０１】
図８に示したように、インク供給タンク６０とヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。
【０１０２】
なお、図８には示さないが、ヘッド５０の近傍又はヘッド５０と一体にサブタンクを設ける構成も好ましい。サブタンクは、ヘッドの内圧変動を防止するダンパー効果及びリフィルを改善する機能を有する。
【０１０３】
また、インクジェット記録装置１００には、ノズル５１の乾燥防止又はノズル近傍のインク粘度上昇を防止するための手段としてのキャップ６４と、ヘッド５０のインク吐出面の清掃手段としてクリーニングブレード６６が設けられている。
【０１０４】
これらキャップ６４及びクリーニングブレード６６を含むメンテナンスユニットは、不図示の移動機構によってヘッド５０に対して相対移動可能であり、必要に応じて所定の退避位置からヘッド５０下方のメンテナンス位置に移動される。
【０１０５】
キャップ６４は、図示せぬ昇降機構によってヘッド５０に対して相対的に昇降変位される。電源ＯＦＦ時や印刷待機時にキャップ６４を所定の上昇位置まで上昇させ、ヘッド５０に密着させることにより、ノズル面をキャップ６４で覆う。
【０１０６】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、圧電素子５８が動作してもノズル５１からインクを吐出できなくなってしまう。
【０１０７】
このような状態になる前に（圧電素子５８の動作により吐出が可能な粘度の範囲内で）圧電素子５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【０１０８】
なお、中間転写体１０に向けてインクを打滴して予備吐出を行う態様も可能である。例えば、複数の画像を連続的に形成する場合には、画像間で予備吐出を実行することが可能である。特に、同一画像を複数枚形成する場合には、特定のノズルにおいてインク吐出の頻度が低くなり、吐出異常の発生する可能性が高くなり、当該特定のノズルについて画像間で予備吐出を行うことが好ましい。
【０１０９】
中間転写体１０に予備吐出を行う場合には、転写加熱ローラ３６Ａに予備吐出によるインクが付着しないように、転写加熱ローラ３６Ａを移動させて、転写加熱ローラ３６Ａと中間転写体１０との間に所定のクリアランス（例えば、１０ｍｍ程度）を設けるとよい。
【０１１０】
また、ヘッド５０内（圧力室５２内）のインクに気泡が混入した場合、圧電素子５８が動作してもノズルからインクを吐出させることができなくなる。このような場合にはヘッド５０にキャップ６４を当て、吸引ポンプ６７で圧力室５２内のインク（気泡が混入したインク）を吸引により除去し、吸引除去したインクを回収タンク６８へ送液する。
【０１１１】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【０１１２】
クリーニングブレード６６はゴムなどの弾性部材で構成されており、図示せぬブレード移動機構によりヘッド５０のインク吐出面に摺動可能である。インク吐出面にインク液滴または異物が付着した場合、クリーニングブレード６６をインク吐出面に摺動させることでインク吐出面を拭き取り、インク吐出面を清掃する。
【０１１３】
図９は、インクジェット記録装置１００のシステム構成を示す要部ブロック図である。インクジェット記録装置１００は、通信インターフェース７０、システムコントローラ７２、メモリ７４、モータドライバ７６、ヒータドライバ７８、プリント制御部８０、画像バッファメモリ８２、ヘッドドライバ８４等を備えている。
【０１１４】
通信インターフェース７０は、ホストコンピュータ８６から送られてくる画像データを受信するインターフェース部である。通信インターフェース７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１００に取り込まれ、一旦メモリ７４に記憶される。
【０１１５】
メモリ７４は、通信インターフェース７０を介して入力された画像を一旦格納する記憶手段であり、システムコントローラ７２を通じてデータの読み書きが行われる。メモリ７４は、半導体素子からなるメモリに限らず、ハードディスクなど磁気媒体を用いてもよい。
【０１１６】
システムコントローラ７２は、中央演算処理装置（ＣＰＵ）及びその周辺回路等から構成され、所定のプログラムに従ってインクジェット記録装置１００の全体を制御する制御装置として機能するとともに、各種演算を行う演算装置として機能する。即ち、システムコントローラ７２は、通信インターフェース７０、メモリ７４、モータドライバ７６、ヒータドライバ７８等の各部を制御し、ホストコンピュータ８６との間の通信制御、メモリ７４の読み書き制御等を行うとともに、搬送系のモータ８８やヒータ８９を制御する制御信号を生成する。
【０１１７】
メモリ７４には、システムコントローラ７２のＣＰＵが実行するプログラム及び制御に必要な各種データなどが格納されている。なお、メモリ７４は、書換不能な記憶手段であってもよいし、ＥＥＰＲＯＭのような書換可能な記憶手段であってもよい。メモリ７４は、画像データの一時記憶領域として利用されるとともに、プログラムの展開領域及びＣＰＵの演算作業領域としても利用される。
【０１１８】
モータドライバ７６は、システムコントローラ７２からの指示にしたがって、モータ８８を駆動するドライバである。図９には、装置内の各部に配置されるモータ（アクチュエータ）を代表して符号８８で図示されている。例えば、図９に示すモータ８８には、図４のローラ４０Ａ、４０Ｂ、３６Ｂの中の駆動ローラを駆動するモータや、転写加熱ローラ３６Ａの移動機構のモータなどが含まれている。
【０１１９】
ヒータドライバ７８は、システムコントローラ７２からの指示にしたがって、ヒータ８９を駆動するドライバである。図９には、インクジェット記録装置１００に備えられる複数のヒータを代表して符号８９で図示されている。例えば、図９に示すヒータ８９には、図４に示す加熱乾燥部４２、加熱部４４のヒータや、転写加熱ローラ３６Ａに含まれるヒータなどが含まれている。
【０１２０】
転写制御部７９は、システムコントローラ７２からの指示にしたがって、転写部３６の転写加熱ローラ３６Ａの押圧制御や温度制御を行う。記録媒体１８の種類やインクの種類ごとに、転写加熱ローラ３６Ａの押圧最適値や温度最適値が予め求められ、データテーブル化されて所定のメモリ（例えば、メモリ７４）に記憶され、記録媒体１８の情報や使用インクの情報を取得すると、当該メモリを参照して転写加熱ローラ３６Ａの押圧や温度が制御される。
【０１２１】
プリント制御部８０は、システムコントローラ７２の制御に従い、メモリ７４内の画像データから印字制御用の信号を生成するための各種加工、補正などの処理を行う信号処理機能を有し、生成した印字データ（ドットデータ）をヘッドドライバ８４に供給する制御部である。プリント制御部８０において所要の信号処理が施され、該画像データに基づいて、ヘッドドライバ８４を介して第２離型剤打滴部３２及びインク打滴部３４に配置される各ヘッド５０のインク液滴の吐出量や吐出タイミングの制御が行われる。これにより、所望のドットサイズやドット配置が実現される。
【０１２２】
プリント制御部８０には画像バッファメモリ８２が備えられており、プリント制御部８０における画像データ処理時に画像データやパラメータなどのデータが画像バッファメモリ８２に一時的に格納される。また、プリント制御部８０とシステムコントローラ７２とを統合して１つのプロセッサで構成する態様も可能である。
【０１２３】
第１離型剤付与制御部８１は、図４に示す塗布ローラ３０Ａによる第１離型剤αの塗布量を制御する。本例では、中間転写体１０と塗布ローラ３０Ａとを接触、離間可能に構成し、塗布ローラ３０Ａを中間転写体１０に接触させる時間を可変することで、第１離型剤αの付与量を制御する。また、第１離型剤付与部３０の塗布液容器内の第１離型剤αの残量を検出するセンサを備え、第１離型剤付与制御部８１は該センサから得られる情報に基づいて塗布液容器内の第１離型剤αの残量を判断し、残量が所定量以下になると、その旨を報知する。
【０１２４】
ヘッドドライバ８４は、プリント制御部８０から与えられる画像データに基づいて第２離型剤打滴部３２及びインク打滴部３４の各ヘッド５０の圧電素子５８に印加される駆動信号を生成するとともに、該駆動信号を圧電素子５８に印加して圧電素子５８を駆動する駆動回路を含んで構成される。なお、図９に示すヘッドドライバ８４には、ヘッド５０の駆動条件を一定に保つためのフィードバック制御系を含んでいてもよい。
【０１２５】
印刷すべき画像のデータは、通信インターフェース７０を介して外部から入力され、メモリ７４に蓄えられる。この段階では、ＲＧＢの画像データがメモリ７４に記憶される。
【０１２６】
メモリ７４に蓄えられた画像データは、システムコントローラ７２を介してプリント制御部８０に送られ、該プリント制御部８０においてインク色ごとのドットデータ及び第２離型剤βのドットデータに変換される。即ち、プリント制御部８０は、入力されたＲＧＢ画像データをＣＭＹＫの４色のドットデータ及び第２離型剤βのドットデータに変換する処理を行う。プリント制御部８０で生成されたドットデータは、画像バッファメモリ８２に蓄えられる。
【０１２７】
なお、中間転写体１０上に形成される１次画像は、転写の際に反転することを考慮して、最終的に記録媒体１８に形成される二次画像の鏡面画像としなければならない。即ち、各ヘッド５０に供給される駆動信号は鏡面画像に対応した駆動信号であり、プリント制御部８０にて入力画像に対して反転処理を施す必要がある。
【０１２８】
プログラム格納部９０には各種制御プログラムが格納されており、システムコントローラ７２の指令に応じて、制御プログラムが読み出され、実行される。プログラム格納部９０はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。なお、プログラム格納部９０は動作パラメータ等の記録手段（不図示）と兼用してもよい。
【０１２９】
次に、上記のように構成されたインクジェット記録装置１００の動作について説明する。
【０１３０】
本実施形態のインクジェット記録装置１００では、中間転写体１０が中間転写体搬送方向に搬送されつつ、まず、第１離型剤付与部３０において中間転写体１０上の全面に第１離型剤αが付与され、これにより、第１離型剤αからなる第１離型層１２が中間転写体１０の表面全体に形成される（図１（ａ））。
【０１３１】
次いで、画像データに応じて決定されるドット形成位置（インク液滴が打滴される位置）に対応して、第２離型剤打滴部３２のヘッド３２Ａから第２離型剤βが打滴される。これにより、第２離型剤βからなる第２離型層１４が第１離型層１２上に形成される（図１（ｂ））。
【０１３２】
このとき、ドット形成位置と同一位置だけでなく、ドット形成位置に隣接する位置にも第２離型剤βが打滴されることが好ましい（図３参照）。これにより、この後に打滴されるインク液滴の着弾安定性が向上し、転写性が向上する。特に、エッジ品質に優れた画像を得ることができる。
【０１３３】
第２離型剤βが打滴された後、画像データに応じて決定されるドット形成位置に対して、インク打滴部３４の各ヘッド３４Ｃ、３４Ｍ、３４Ｙ、３４Ｋからインク液滴が打滴される。上述したように、各色のインク液滴が打滴される位置（ドット形成位置）には既に第２離型剤βからなる第２離型層１４が形成されており、各ヘッドから打滴されたインク液滴は第２離型層１４上に着弾してインクドット１６が形成される（図１（ｃ））。
【０１３４】
こうして中間転写体１０上に形成されたインク画像は、中間転写体１０の搬送に伴って、加熱乾燥部４２において予備加熱されながら、インク画像に含まれる溶媒成分が除去される。その後、転写部３６において、ヒータを有する転写加熱ローラ３６Ａによって所定の温度に加圧加熱されながら、中間転写体１０上に形成されたインク画像が記録媒体１８に転写される。
【０１３５】
このとき、転写温度（Ｔｔ）が第１離型剤αのガラス転移温度（Ｔｇ１）より低く、且つ、第２離型剤βのガラス転移温度（Ｔｇ２）より高くなるように（即ち、Ｔｇ１＞Ｔｔ＞Ｔｇ２）、上述したシステムコントローラ７２によって制御が行われているため、転写時においては、第１離型剤αからなる第１離型層１２は流動状態になることなく、第２離型剤βからなる第２離型層１４のみが流動状態となり、図１（ｄ）に示すように、第２離型層１４の一部（又は全部）が記録媒体１８に転写される。
【０１３６】
また、転写後、クリーニング部３８に対応して設けられる加熱部４４によって所定温度に加熱されながら、クリーニング部３８のクリーニングローラ３８Ａによって中間転写体１０上のクリーニングが行われる。このとき、クリーニング温度（Ｔｃ）は第１離型剤αのガラス転移温度（Ｔｇ１）及び第２離型剤βのガラス転移温度（Ｔｇ２）より高くなるように（即ち、Ｔｃ＞Ｔｇ１＞Ｔｔ＞Ｔｇ２）、システムコントローラ７２によって制御が行われているため、第２離型剤βからなる第２離型層１４だけでなく、第１離型剤αからなる第１離型層１２も流動状態となり、第２離型剤βからなる第２離型層１４とともに、第１離型剤αからなる第１離型層１２を中間転写体１０上から容易に除去することができる。
【０１３７】
本実施形態のインクジェット記録装置１００によれば、中間転写体１０上の全面に第１離型剤αからなる第１離型層１２を形成後、画像データに応じて決定されるドット形成位置に対して第２離型剤β、インク液滴を順次打滴して、更に、転写時には第２離型剤βのみが流動状態となり、クリーニング時には第１離型剤αも流動状態となるように制御が行われる。これにより、第１離型剤αが記録媒体１８に転写されることがなく、記録媒体１８における非画像部の質感を維持することができるとともに、転写性を向上させることができる。また、中間転写体１０上の転写後残存物を容易に除去することができ、転写不良を防止することができる。これにより、高品質な画像を実現することが可能となる。
【０１３８】
（第２の実施形態）
次に、本発明に係るインクジェット記録装置の第２の実施形態について説明する。以下、第１の実施形態と共通する部分については説明を省略し、本実施形態の特徴的な部分を中心に説明する。
【０１３９】
図１０は、第２の実施形態に係るインクジェット記録装置の構成例を示した概略図である。図１０中、図４と共通又は類似する部分には同一番号を付している。
【０１４０】
第２の実施形態は、第１離型剤αが印加される電界に応じて粘度変化する電気粘性流体（ＥＲ流体）であり、第２離型剤βが所定の温度で流動状態となる材料（例えば、樹脂など）である態様である。
【０１４１】
電気粘性流体とは、前述したように、この液体を電界中に置くと、瞬時に、無電界の状態に比べてこの液体の粘度が変化する液体をいう。この電気粘性流体の構成材料としては、粒子分散型と均一型とがあるが、粘度変化の大きさ、および材料選択の広さでは粒子分散型が勝っている。粒子分散型にも水系と非水系があり、水系粒子分散型としては、水溶液や極性溶媒中に、シリカ、表面処理シリカ、アクリル酸ポリマー、シリコンポリマー、デンプン、ゼラチン、多孔質物質等の粒子を分散したものが適している。非水系粒子分散型としては、絶縁性有機液体中に、シリカ、ＴｉＯ２、銅フタロシアニン、ポリアニリン、金属コロイド、炭素粉体、チタン酸塩、酒石酸塩などを分散したものが適している。
【０１４２】
図１０に示すように、本実施形態のインクジェット記録装置２００には、中間転写体１０の裏面１０Ｂ側に電界付与部４６（４６Ａ、４６Ｂ）が設けられている。
【０１４３】
電界付与部４６は、第１離型剤付与部３０と第２離型剤打滴部３２の間から中間転写体搬送方向下流側に向かって転写部３６までの領域に渡って設けられており、第１離型剤αの付与後、第２離型剤βが打滴される前から記録媒体１８に対する画像転写が完了するまで所定の電界が印加され続け、転写完了後、クリーニングが開始されるまでに前記電界の印加が解除されるように制御が行われる。
【０１４４】
また、中間転写体搬送方向下流側に位置する電界付与部４６Ｂは、ヒータを含んで構成されており、第１の実施形態における加熱乾燥部４２（図４参照）を兼ねている。
【０１４５】
また、第２離型剤βのガラス転移温度（Ｔｇ２）が転写温度（Ｔｔ）及びクリーニング温度（Ｔｃ）より低くなるように、転写温度（Ｔｔ）やクリーニング温度（Ｔｃ）の制御が行われる。即ち、次式 Ｔｔ＞Ｔｇ２、且つ、Ｔｃ＞Ｔｇ２を満たすように制御が行われる。
【０１４６】
かかる構成により、第１離型剤付与部３０の塗布ローラ３０Ａによって第１離型剤αが全面塗布されると、中間転写体１０上に第１離型層１２が形成される（図１（ａ））。中間転写体１０の搬送に伴って、中間転写体１０上の第１離型層１２が形成された領域が中間転写体搬送方向下流側に向かって移動すると、電界付与部４６（４６Ａ、４６Ｂ）によって電界が印加され、第１離型剤αからなる第１離型層１２は増粘状態となる。
【０１４７】
この後、第１の実施形態と同様に、画像データに応じて決定されるドット形成位置に対して第２離型剤β、インク液滴が順次打滴される。そして、加熱乾燥部を兼ねる電界付与部４６Ｂによって予備加熱されながら、インク画像に含まれる溶媒成分（液体）が除去された後、転写部３６の転写加熱ローラ３６Ａによって所定の温度に加圧加熱され、第２離型剤βは流動状態となり、中間転写体１０上に形成されたインク画像が記録媒体１８に転写される。転写後、電界の印加が解除され、第１離型剤αからなる第１離型層１２は低粘度化した状態となり、クリーニング部３８のクリーニングローラ３８Ａによって中間転写体１０上のクリーニングが行われる。
【０１４８】
本実施形態によれば、転写時には、第１離型剤αからなる第１離型層１２が低粘度化することなく、第２離型剤βからなる第２離型層１４が流動状態となるので、記録媒体１８に第１離型剤αが転写されることがなく、記録媒体１８の非画像部の質感を維持しつつ、転写性を向上させることができる。また、クリーニング時には、第１離型剤αからなる第１離型層１２が低粘度化した状態となるので、中間転写体１０上の転写後残存物を容易に除去することができ、転写不良を防止することができる。これにより、高品質な画像を実現することが可能となる。
【０１４９】
（第３の実施形態）
次に、本発明に係るインクジェット記録装置の第３の実施形態について説明する。以下、第１及び第２の実施形態と共通する部分については説明を省略し、本実施形態の特徴的な部分を中心に説明する。
【０１５０】
図１１は、第３の実施形態に係るインクジェット記録装置の構成例を示した概略図である。図１１中、図４又は図１０と共通又は類似する部分には同一番号を付している。
【０１５１】
第３の実施形態では、第１離型剤αが所定の温度で流動状態となる材料（例えば、樹脂など）であり、第２離型剤βが印加される電界に応じて粘度変化する電気粘性流体（ＥＲ流体）である態様である。
【０１５２】
図１１に示すように、本実施形態のインクジェット記録装置３００には、中間転写体１０の裏面１０Ｂ側に電界付与部４６（４６Ａ、４６Ｂ）が設けられている。
【０１５３】
電界付与部４６は、第２離型剤打滴部３２とインク打滴部３４の間から中間転写体搬送方向下流側に向かって転写部３６の直前までの領域にわたって設けられており、第２離型剤βの打滴後、インク液滴が打滴される前から転写が開始されるまで電界が印加され続け、転写が開始される時には前記電界の印加が解除されるように制御が行われる。
【０１５４】
また、本実施形態のインクジェット記録装置３００には、第１の実施形態と同様に、クリーニング部３８に対応する加熱部４４が中間転写体１０の裏面１０Ｂ側に設けられている。
【０１５５】
また、第１離型剤αのガラス転移温度（Ｔｇ１）が転写温度（Ｔｔ）より高く、且つクリーニング温度（Ｔｃ）より低くなるように、転写温度（Ｔｔ）やクリーニング温度（Ｔｃ）の制御が行われる（即ち、Ｔｃ＞Ｔｇ１＞Ｔｔ）。
【０１５６】
かかる構成により、第１離型剤付与部３０の塗布ローラ３０Ａによって第１離型剤αが全面塗布されると、中間転写体１０上に第１離型層１２が形成される（図１（ａ））。その後、中間転写体１０の搬送に伴って、画像データに応じて決定されるドット形成位置に対して第２離型剤βが打滴されると、電界付与部４６（４６Ａ）から印加される電界によって、第２離型剤βからなる第２離型層１４は増粘状態となる。
【０１５７】
インク液滴を打滴する前に第２離型剤βからなる第２離型層１４を増粘させておくことにより、第２離型層１４に着弾したインク液滴が第２離型層１４内部に入り込むことによって、転写時にインク液滴が記録媒体１８に転写されない現象を未然に防止することができる。
【０１５８】
第２離型剤βの打滴後、第１の実施形態と同様に、インク液滴が打滴される。その後、中間転写体１０の搬送に伴って、電界付与部４６による中間転写体１０に対する電界の印加は転写部３６の直前で解除され、第２離型剤βからなる第２離型層１４は低粘度化した状態となる。そして、転写部３６の転写加熱ローラ３６Ａによって所定の温度に加圧加熱され、中間転写体１０上に形成されたインク画像が記録媒体１８に転写される。このとき、第１離型剤αからなる第１離型層１２は非流動状態である。その後、加熱部４４によって所定の温度に加熱され、第１離型剤αからなる第１離型層１２は流動状態となり、クリーニング部３８のクリーニングローラ３８Ａによって中間転写体１０上のクリーニングが行われる。
【０１５９】
本実施形態によれば、転写時には、第１離型剤αからなる第１離型層１２が流動状態になることなく、第２離型剤βからなる第２離型層１４が低粘度化した状態となるので、記録媒体１８に第１離型剤αが転写されることがなく、記録媒体１８の非画像部の質感を維持しつつ、転写性を向上させることができる。また、クリーニング時には、第１離型剤αからなる第１離型層１２が流動状態となるので、中間転写体１０上の転写後残存物を容易に除去することができ、転写不良を防止することができる。これにより、高品質な画像を実現することが可能となる。
【０１６０】
以上、本発明のインクジェット記録装置及び記録方法について詳細に説明したが、本発明は、以上の例には限定されず、本発明の要旨を逸脱しない範囲において、各種の改良や変形を行ってもよいのはもちろんである。
【図面の簡単な説明】
【０１６１】
【図１】本発明に係るインクジェット記録方法の概要を示した説明図
【図２】本発明に係るインクジェット記録方法の概要を示した説明図
【図３】画像部の輪郭部に第２離型剤を打滴する態様を示した説明図
【図４】第１の実施形態に係るインクジェット記録装置の概略を示した説明図
【図５】第１の実施形態に係るインクジェット記録装置の印字部周辺の要部平面図
【図６】ヘッドの構造例を示す平面透視図
【図７】図６中７−７線に沿う断面図
【図８】第１の実施形態に係るインクジェット記録装置のインク供給系の構成を示す概略図
【図９】第１の実施形態に係るインクジェット記録装置のシステム構成を示す要部ブロック図
【図１０】第２の実施形態に係るインクジェット記録装置の概略を示した説明図
【図１１】第３の実施形態に係るインクジェット記録装置の概略を示した説明図
【符号の説明】
【０１６２】
１０…中間転写体、１２…第１離型層、１４…第２離型層、１６…インクドット、１８…記録媒体、２０…クリーナー、２２…インク液滴、２４…画像部、２６…輪郭部、３０…第１離型剤付与部、３２…第２離型剤打滴部、３４…インク打滴部、３６…転写部、３８…クリーニング部、４２…加熱乾燥部、４４…加熱部、５０…ヘッド、５１…ノズル、８０…システムコントローラ、１００、２００、３００…インクジェット記録装置
【図１】
0004878585.tif 000003
【図２】
0004878585.tif 000004
【図３】
0004878585.tif 000005
【図４】
0004878585.tif 000006
【図５】
0004878585.tif 000007
【図６】
0004878585.tif 000008
【図７】
0004878585.tif 000009
【図８】
0004878585.tif 000010
【図９】
0004878585.tif 000011
【図１０】
0004878585.tif 000012
【図１１】
0004878585.tif 000013